(57)【要約】【課題】床面の残水を迅速かつ効率的に排出し、床面を短時間で乾燥させ、かつ床面への汚れの滞留もしくは付着を抑制することができる浴室装置を提供する。【解決手段】床面１ａが撥水性を有する浴室の床１と、床面１ａを振動または傾動させる駆動手段２とを備える浴室装置であって、床面１ａを駆動手段２によって振動または傾動させて、床面１ａの水を排出する。【選択図】図１
2016223219.tif 000002
【特許請求の範囲】
【請求項１】
床面が撥水性を有する浴室の床と、前記床面を振動または傾動させる駆動手段とを備える浴室装置であって、前記床面を前記駆動手段によって振動または傾動させて、前記床面の水を排出することを特徴とする浴室装置。
【請求項２】
前記駆動手段が振動発生装置であり、前記振動発生装置は前記床面を前記床の下側から振動させることを特徴とする請求項１に記載の浴室装置。
【請求項３】
前記駆動手段がタッピング装置であり、前記タッピング装置は前記床面に前記床の下側から衝撃を加えて前記床面を振動させることを特徴とする請求項１に記載の浴室装置。
【請求項４】
前記床が第一の床および第二の床から構成され、前記第一の床の表面が前記床面を形成し、前記第二の床は前記第一の床の下側に配置され、かつ表面が傾斜し、前記第一の床は複数の床部材から形成され、各床部材は前記駆動手段によって傾動することを特徴とする請求項１に記載の浴室装置。
【発明の詳細な説明】
【技術分野】
【０００１】
本発明は、浴室装置に関する。
【背景技術】
【０００２】
浴室において、入浴時以外に床面が水濡れした状態であると、足裏の肌触りが不快であったり、足が滑る危険性があったりするなどの不都合が生じる場合がある。また、床面が水濡れした状態が長時間続くと、床面のぬめりやカビ等の発生原因となり、不衛生であるため、浴室の床面は、入浴後（使用後）には速やかに乾燥することが望ましい。
【０００３】
また、浴室の床面の残水には、通常、石鹸垢や皮脂、水垢あるいは清掃時の洗剤成分等の不純物が含まれているため、残水の水滴が大きいと、床面の乾燥が速い場合であっても、水が蒸発した際に床面に不純物が滞留もしくは付着する場合がある。
【０００４】
そこで、従来、床面の残水対策としては、例えば、排水深溝と凸部とからなる床面において、凸部の上面に窪み部を設け、排水深溝と窪み部の表面を親水化処理することで、水玉状の残水の発生を抑制することが提案されている（特許文献１）。また、床面に複数個の凹部を形成し、さらに床面を親水化して水の接触角度を小さくすることで水玉状の残水を破壊し、床面の乾燥時間を短縮することも提案されている（特許文献２）。
【０００５】
また、床面の残水の乾燥を促進する観点からは、浴室の側壁に設けられた通風口から床面の流水路に向けて送風する構成とすることも提案されている（特許文献３）。
【先行技術文献】
【特許文献】
【０００６】
【特許文献１】特開２０１０−５３６３４号公報
【特許文献２】特開２００５−１６３４０５号公報
【特許文献３】特開２００９−２２８３９０号公報
【発明の概要】
【発明が解決しようとする課題】
【０００７】
しかしながら、特許文献１および２に記載された床構造では、残水量が多い場合や浴室内の換気が不十分な場合には、水の蒸発に想定以上の時間を要する。また、床面に形成される凹凸パターンが細かいと、床面に汚れが滞留もしくは付着しやすく、床面の親水性を保つためには定期的な汚れの除去が必要であるため、所望の効果を維持するために手間を要するという課題があった。
【０００８】
また、特許文献３に記載された床構造においても、上述したように、残水量や浴室内の換気状態に依存して水の蒸発速度が変化するため、床面が乾燥するまでに想定以上の時間を要する場合があった。
【０００９】
本発明は、以上のとおりの事情に鑑みてなされたものであり、床面の残水を迅速かつ効率的に排出し、床面を短時間で乾燥させ、かつ床面への汚れの滞留もしくは付着を抑制することができる浴室装置を提供することを目的としている。
【課題を解決するための手段】
【００１０】
上記の目的を達成するために、本発明の浴室装置は、床面が撥水性を有する浴室の床と、前記床面を振動または傾動させる駆動手段とを備える浴室装置であって、前記床面を前記駆動手段によって振動または傾動させて、前記床面の水を排出することを特徴としている。
【発明の効果】
【００１１】
本発明によれば、床面の残水を迅速かつ効率的に排出し、床面を短時間で乾燥させ、かつ床面への汚れの滞留もしくは付着を抑制することができる浴室装置が提供される。このような浴室装置を備えることによって、より衛生的で快適な浴室環境が提供される。
【図面の簡単な説明】
【００１２】
【図１】本発明の第一の実施形態に係る浴室装置の説明図であり、（ａ）は要部断面構造を示す模式図、（ｂ）は本実施形態に係る浴室装置を備える浴室の概略平面図である。
【図２】本発明の第二の実施形態に係る浴室装置の説明図であり、（ａ）は要部断面構造を示す模式図、（ｂ）は本実施形態に係る浴室装置を備える浴室の概略平面図である。
【図３】本発明の第三の実施形態に係る浴室装置の説明図であり、（ａ）は要部断面構造を示す模式図、（ｂ）は床面の傾動時の様子を概略的に示す模式断面図である。
【図４】本発明の第四の実施形態に係る浴室装置の説明図であり、（ａ）は要部断面構造を示す模式図、（ｂ）は床面の傾動時の様子を概略的に示す模式断面図である。
【発明を実施するための形態】
【００１３】
以下、本発明の実施形態について、図面を参照しつつ詳細に説明する。
【００１４】
＜第一の実施形態＞
図１は、本発明の第一の実施形態に係る浴室装置の説明図であり、（ａ）は要部断面構造を示す模式図、（ｂ）は本実施形態に係る浴室装置を備える浴室の概略平面図である。
【００１５】
本実施形態に係る浴室装置Ａは、図１（ａ）に示すように、床面１ａが撥水性を有する浴室の床１と、床面１ａを振動させる駆動手段２とを備えており、床面１ａを駆動手段２によって振動させて、床面１ａの水を排出する。
【００１６】
より具体的には、本実施形態において、駆動手段２は振動発生装置２１である。振動発生装置２１は、床面１ａを床１の下側から振動させる。
【００１７】
床１には、図１（ｂ）に示すように、浴槽３側の側端縁に排水口４が設けられている。また、床１は、排水口４が最も低くなるような水勾配を有しており、この水勾配によって、床面１ａの水が排水口４に向かって流れやすくなっている。なお、排水口４の位置は、浴槽３側の辺縁の中央部等であってもよい。
【００１８】
床１は、例えば、ＦＲＰ（繊維強化プラスチック）等の樹脂材料から成形される。床１の表面、すなわち床面１ａは平滑であり、かつ撥水性を有している。本実施形態において、床面１ａの撥水性は、例えば、水の接触角が１５０°以上であることが好ましい。これによって、床面１ａでは、球状の水滴が形成されやすくなり、床面１ａの振動が小さい場合であっても水滴が転がりやすくなる。また、床面１ａが平滑であると、凹凸を有する場合と比較して、床面１ａへの汚れの滞留や付着を抑制することができ、また、汚れを除去しやすくなる。
【００１９】
また、床１では、入浴時や清掃時に使用した洗浄剤の成分が床面１ａに残留している場合には、床面１ａに生じた残水の接触角は小さくなり、床面１ａ上に残留しやすくなる。そのため、例えば、床面１ａに生じた残水が球状の水滴となるかどうかを指標として、床面１ａから洗浄剤の成分を流し去ることができたことを、目視によって確認することができる。
【００２０】
床１と側壁５とは、図１（ａ）に示すように、柔軟性を有するシール６で接合されている。これによって、後述する振動発生装置２１による床面１ａの振動に伴って生じ得る側壁５の振動等を抑制し、かつ床１と側壁５との水密性を損なわずに、床面１ａに生じた残水を排出することができる。なお、柔軟性を有するシール６としては、例えば、一般に公知の樹脂接着剤やエラストマーのシート等を用いることができる。
【００２１】
振動発生装置２１は、図１（ａ）に示すように、床１の裏面１ｂに接触して設けられている。振動発生装置２１としては、例えば、偏芯したマス（おもり）を備えたモーターを回転させることで生じる遠心力によって振動を発生させるもの等、一般に公知の振動機構を備える装置を用いることができる。
【００２２】
振動発生装置２１の設置位置は、床１の水勾配等を考慮して、床面１ａに生じた残水を迅速かつ効率的に排出する観点から、適宜調整される。例えば、図１（ａ）および（ｂ）に示すように、床１の裏面１ｂの中央部に振動発生装置２１を設置することができる。
【００２３】
なお、床１の裏面１ｂと振動発生装置２１との接触状態は、振動発生装置２１の振動機構等に応じて適宜調整され、例えば、振動発生装置２１の一部分である振動子（図示せず）と床１の裏面１ｂとが接触するようにしてもよい。
【００２４】
振動発生装置２１によって床面１ａに振動が加えられると、床面１ａの撥水性によって球状となった残水の水滴は、床１の水勾配に従って速やかに移動し、排水口４から次々と外部に排出される。このように、本実施形態に係る浴室装置Ａでは、床面１ａからの残水の排出をより短時間で行うことができる。そのため、入浴時以外に浴室に入室した際に、残水に足裏が触れることによる足濡れや不快感を抑制することができ、浴室の快適性が向上する。また、床面１ａの残水が迅速に排出されて床面１ａが速やかに乾燥するため、床面１ａのぬめりやカビの発生、水垢等の付着が抑制され、浴室を清潔な状態に保ちやすくなる。
【００２５】
＜第二の実施形態＞
図２は、本発明の第二の実施形態に係る浴室装置の説明図であり、（ａ）は要部断面構造を示す模式図、（ｂ）は本実施形態に係る浴室装置を備える浴室の概略平面図である。なお、第二の実施形態において、図１に示した第一の実施形態と同様の構成については同一の符号を付し、以下ではその説明を省略する。
【００２６】
本実施形態に係る浴室装置Ｂおいて、駆動手段２はタッピング装置２２である。タッピング装置２２は、床面１ａに床１の下側から衝撃を加えて床面１ａを振動させる。
【００２７】
また、本実施形態において、床１は、図２（ａ）に示すように、その両端において、上方に向けて立設された側壁部１ｃを有している。側壁部１ｃは、その上端において、側壁５と柔軟性を有するシール６で接合されている。これによって、後述するタッピング装置２２による床１の下側からの衝撃および床面１ａの振動に伴って生じ得る側壁５の振動等を抑制し、かつ床１と側壁５との水密性が損なわれることを抑制することができる。
【００２８】
タッピング装置２２は、図２（ａ）に示すように、床１の下部に設置されており、基部２２ａ、軸部２２ｂおよびヘッド部２２ｃを主要な構成要素としている。基部２２ａは、側壁５を架け渡すようにして設けられており、かつ軸部２２ｂを移動させるための移動機構（図示せず）を有している。軸部２２ｂは、その一端が回動軸２２ｄによって基部２２ａに固定されており、軸部２２ｂの他端にはヘッド部２２ｃが接合されている。ヘッド部２２ｃは、回動軸２２ｄを中心とする軸部２２ｂの回動に伴って、床１の裏面１ｂに衝突するように構成されている。
【００２９】
なお、タッピング装置２２としては、例えば、JIS A 1418等に基づき建築物の床衝撃音レベルの測定に用いられる衝撃源としてのタッピングマシンやバングマシン等の構造を基本的な構成として、床１の下側に衝撃を加えるのに適した構成に改良したものを利用することもできる。
【００３０】
タッピング装置２２のヘッド部２２ｃが床１の裏面１ｂに衝突することによって床面１ａに振動が加えられると、床面１ａの撥水性によって球状となった残水の水滴は、床１の水勾配に従って速やかに移動し、排水口４から次々と外部に排出される。このように、本実施形態に係る浴室装置Ｂでは、床面１ａからの残水の排出を、より短時間で行うことができる。そのため、入浴時以外に浴室に入室した際に、残水に足裏が触れることによる足濡れや不快感を抑制することができ、浴室の快適性が向上する。また、床面１ａの残水が迅速に排出されて床面１ａが速やかに乾燥するため、床面１ａのぬめりやカビの発生、水垢等の付着が抑制され、浴室を清潔な状態に保ちやすくなる。
【００３１】
また、本実施形態では、ヘッド部２２ｃが床１の裏面１ｂに衝突する位置（タッピング位置）２２ｅを変えることができる。例えば、図２（ｂ）に示すように、側壁５において、排水口４に近接する位置５ａからその対角位置５ｂにかけて、基部２２ａを設ける。そして、基部２２ａの移動機構（図示せず）を用いて、排水口４の対角位置から排水口４に向かって軸部２２ｂを移動させることによって、図２（ｂ）に矢印で示すように、タッピング位置２２ｅを変えることができる。これによって、床面１ａの残水の移動がより促進され、残水をより効果的に排水口４へ導くことができ、より迅速に残水を排出することができる。
【００３２】
＜第三の実施形態＞
図３は、本発明の第三の実施形態に係る浴室装置の説明図であり、（ａ）は要部断面構造を示す模式図、（ｂ）は床面の傾動時の様子を概略的に示す模式断面図である。
【００３３】
本実施形態に係る浴室装置Ｃは、図３（ａ）および（ｂ）に示すように、床面１ａが撥水性を有する浴室の床１と、床面１ａを傾動させる駆動手段２とを備えており、床面１ａを駆動手段２によって傾動させて、床面１ａの水を排出する。
【００３４】
より具体的には、本実施形態において、床１は、第一の床１１および第二の床１２から構成されている。第一の床１１の表面１１ａは、床面１ａを形成しており、第二の床１２は、第一の床１１の下側に配置され、かつ表面１２ａが傾斜し、撥水性を有している。また、第一の床１１は、２つの床部材１３から形成されており、各床部材１３は、駆動手段２によって傾動する。なお、床部材１３の数は、２つの場合に限定されず、床１のサイズ等に応じて適宜調整され、３つ以上であってもよい。
【００３５】
駆動手段２は、図３（ａ）および（ｂ）に示すように、床部材１３を軸支する回動軸２３および回動部材（図示せず）を主要な構成要素としている。床部材１３は、回動軸２３によって幅方向の中央付近で軸支されており、回動自在となっている。
【００３６】
本実施形態において、床部材１３を傾動させる際の傾斜角度は、第一の床１１の表面１１ａの撥水性等を考慮して、適宜調整される。例えば、表面１１ａの水の接触角が１５０°の場合には、床部材１３の傾斜角度は５°以上であることが好ましい。なお、図３（ｂ）において、点線は、床部材１３を傾動させる前の床面１ａの位置を示す。
【００３７】
床部材１３のサイズは、傾動時の傾斜角度を得るために必要な傾動距離を小さくする観点等から、適宜調整することができる。例えば、回動軸２３と直交する方向の幅を５０ｃｍとした場合には、上述した５°の傾斜角度を得るために必要な傾動距離は約４ｃｍとなる。なお、床部材１３の厚さは、上述した回動軸２３と直交する方向の幅を考慮して、耐荷重性を確保する観点等から、適宜調整される。なお、床部材１３の継目部１３ａ、および床部材１３と側壁５との接触部に関して、必要に応じて、弾性部材等を設けることによって、浴室の使用時の水密性を確保するようにしてもよい。
【００３８】
第二の床１２は、予め傾斜角度を有した状態で側壁５と接合されている。第二の床１２の傾斜角度は、表面１２ａの撥水性等を考慮して、適宜調整される。例えば、表面１２ａの水の接触角が１５０°の場合には、第二の床１２の傾斜角度は５°以上であることが好ましい。また、表面１２ａの水の接触角が１００°以下の場合には、第二の床１２の傾斜角度は１５°以上であることが好ましい。また、第二の床１２には、排水口（図示せず）が設けられている。これによって、第一の床１１から第二の床１２へ送られた水は、表面１２ａを速やかに移動して、排水口から外部に排出される。なお、排水口の位置は特に限定されないが、排水性の観点からは、表面１２ａの最も低い位置に設けることが好ましい。
【００３９】
回動軸２３の回動によって床部材１３が傾動すると、図３（ａ）に示す床部材１３の継目部１３ａには、図３（ｂ）に示すように隙間７が形成される。そして、床面１ａの撥水性によって球状となった残水の水滴は、床部材１３の傾斜に従って速やかに移動し、隙間７から次々と第二の床１２へ送られる。さらに、第二の床１２へ送られた水は、第二の床１２の表面１２ａの傾斜や撥水性によって速やかに移動し、排水口から外部に排出される。なお、第一の床１１において排水口（図示せず）が設けられている場合には、残水の一部は、床部材１３の傾動によって、第一の床１１の排水口からも排出される。
【００４０】
このように、本実施形態に係る浴室装置Ｃでは、床面１ａからの残水の排出を、より短時間で行うことができる。そのため、入浴時以外に浴室に入室した際に、残水に足裏が触れることによる足濡れや不快感を抑制することができ、浴室の快適性が向上する。また、床面１ａの残水が迅速に排出されて床面１ａが速やかに乾燥するため、床面１ａのぬめりやカビの発生、水垢等の付着が抑制され、浴室を清潔な状態に保ちやすくなる。
【００４１】
＜第四の実施形態＞
図４は、本発明の第四の実施形態に係る浴室装置の説明図であり、（ａ）は要部断面構造を示す模式図、（ｂ）は床面の傾動時の様子を概略的に示す模式断面図である。なお、第四の実施形態において、図３に示した第三の実施形態と同様の構成については同一の符号を付し、以下ではその説明を省略する。
【００４２】
本実施形態に係る浴室装置Ｄおいて、駆動手段２は、図４（ａ）および（ｂ）に示すように、伸縮部材２４である。伸縮部材２４は、図４（ａ）に示すように、第二の床１２の表面１２ａから上方に延びて、第一の床１１の裏面１１ｂにまで達するように設けられており、伸縮部材２４の上端は、床部材１３の継目部１３ａと接触している。これによって、伸縮部材２４は、床部材１３の継目部１３ａを下側から支え、第一の床１１の耐荷重性を補う役割も果たす。なお、伸縮部材２４は、例えば、床部材１３の継目部１３ａに沿って、所要の奥行き方向の長さを有するようにしてもよく、また、一定の間隔を空けて複数設けられていてもよい。
【００４３】
伸縮部材２４は、固定部２４ａおよび伸縮部２４ｂを主要な構成要素としている。伸縮部２４ｂは、例えば、図４（ａ）に示すように、収縮時において、固定部２４ａの内部に収容されるように設計することができる。
【００４４】
伸縮部材２４の伸展時においては、図４（ｂ）に示すように、伸縮部２４ｂが上昇して、床部材１３の継目部１３ａが上方に持ち上げられ、床部材１３が傾動する。すると、床面１ａの撥水性によって球状となった残水の水滴は、床部材１３の傾斜に従って速やかに移動し、次々と第二の床１２に送られる。さらに、第二の床１２へ送られた水は、第二の床１２の表面１２ａの傾斜や撥水性によって速やかに移動し、排水口（図示せず）から外部に排出される。なお、床部材１３の傾動に伴って、床部材１３の継目部１３ａには隙間７が形成され、隙間７からも残水の一部が第二の床１２へ送られる。また、第一の床１１において排水口（図示せず）が設けられている場合には、残水の一部は、床部材１３の傾動によって、第一の床１１の排水口からも排出される。
【００４５】
残水の排出後には、伸縮部２４ｂが降下することによって伸縮部材２４が収縮して、図４（ａ）に示す収縮時の状態に戻る。
【００４６】
このように、本実施形態に係る浴室装置Ｄでは、床面１ａからの残水の排出を、より短時間で行うことができる。そのため、入浴時以外に浴室に入室した際に、残水に足裏が触れることによる足濡れや不快感を抑制することができ、浴室の快適性が向上する。また、床面１ａの残水が迅速に排出されて床面１ａが速やかに乾燥するため、床面１ａのぬめりやカビの発生、水垢等の付着が抑制され、浴室を清潔な状態に保ちやすくなる。
【００４７】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００４８】
１  床
１ａ  床面
１１  第一の床
１１ａ  表面
１２  第二の床
１２ａ  表面
１３  床部材
２  駆動手段
２１  振動発生装置
２２  タッピング装置
【図１】
2016223219.tif 000003
【図２】
2016223219.tif 000004
【図３】
2016223219.tif 000005
【図４】
2016223219.tif 000006